(57)【要約】   【課題】  少数個の鶏卵を格納することができて、取扱いが簡単で、見栄えのよい鶏卵包装容器を提供すること。  【解決手段】  鶏卵を立てる複数の窪み31を有する底部３と、この底部３と屈曲自在な連結部41を介して連結され、鶏卵の縦半分を入れる複数の凹部12を有する第１の半体１と、底部３と屈曲自在の連結部42を介して連結され、鶏卵の残り半分を入れる周壁221および平坦面22で囲まれた空間を形成する第２の半体２とにより構成され、熱可塑性薄肉合成樹脂シートを真空成型またはブロー成型して全体を一体に形成したものである。【選択図】      図１
2007039086.tif 000002
【特許請求の範囲】
【請求項１】
鶏卵を立てる複数の窪みを有する底部と、該底部と屈曲自在な連結部を介して連結され、鶏卵の縦半分を入れる複数の凹部を有する第１の半体と、上記底部と屈曲自在の連結部を介して連結され、鶏卵の残りの半分を入れる周壁および平坦面で囲まれた空間を形成する第２の半体とにより構成され、熱可塑性薄肉合成樹脂シートを真空成型またはブロー成型して全体を一体に形成したことを特徴とする鶏卵包装容器。
【請求項２】
鶏卵を立てる複数の窪みを有する底部と、該底部と屈曲自在な連結部を介して連結され、鶏卵の縦半分を入れる複数の凹部を有する対称をなす１対の半体とにより構成され、熱可塑性薄肉合成樹脂シートを真空成型またはブロー成型して全体を一体に形成したことを特徴とする鶏卵包装容器。
【請求項３】
底部は、中央の稜線に沿って山形に折り曲げられ、該稜線の上に鶏卵を立てる複数の窪みが形成されていることを特徴とする請求項１または請求項２に記載の鶏卵包装容器。
【発明の詳細な説明】
【技術分野】
【０００１】
この発明は、薄肉合成樹脂シートを真空成型またはブロー成型した鶏卵包装容器に関する。
【背景技術】
【０００２】
鶏卵は、薄肉合成シートを成型した鶏卵包装容器に入れて販売されている。従来の鶏卵包装容器は、下記特許文献に開示され、図８の斜視図に示すように、身部分81と、蓋部分82と、これら２つの部分を屈曲自在に連結する連結部83とからなり、薄肉合成樹脂シートを真空成型またはブロー成型して一体に形成したものであって、身部分81および蓋部分82には、隔壁によって仕切られた複数個の鶏卵を入れる凹部84およびフランジ部85を備えている。
【０００３】
鶏卵は、１０個単位で販売されるのが通常であり、鶏卵包装容器は横にして積み重ねて店頭に陳列されている。
【特許文献１】特開平９−２７２５７９号公報
【発明の開示】
【発明が解決しようとする課題】
【０００４】
このような鶏卵包装容器においては、１０個単位の販売を前提にしており、少数個の鶏卵の販売には適さない。
【０００５】
買い手側からみると、単身者などは必要以上にまとまった数の鶏卵の購入を強いられる場合があり、少量の鶏卵しか使わない場合には、残った鶏卵が古くなり鮮度が落ちてしまうことになる。
【０００６】
販売する上でも、容器は横置きにしかできないので、店頭においてはまとまったスペースが必要になり、販売上の制約となっていた。また、見た目にも美しいとはいえなかった。
【０００７】
そこで、この発明は、鶏卵を格納するのが容易で、利便性に優れ、見栄えのよい２個の鶏卵を包装する鶏卵包装容器を提供するために考えられたものである。
【課題を解決するための手段】
【０００８】
この発明の鶏卵包装容器は、鶏卵を立てる複数の窪みを有する底部と、該底部と屈曲自在な連結部を介して連結され、鶏卵の縦半分を入れる複数の凹部を有する第１の半体と、上記底部と屈曲自在の連結部を介して連結され、鶏卵の残りの半分を入れる周壁および平坦面で囲まれた空間を形成する第２の半体とにより構成され、熱可塑性薄肉合成樹脂シートを真空成型またはブロー成型して全体を一体に形成したものである。
【０００９】
また、この発明の鶏卵包装容器は、鶏卵を立てる複数の窪みを有する底部と、この底部と屈曲自在な連結部を介して連結され、鶏卵の縦半分を入れる複数の凹部を有する対称をなす１対の半体とにより構成され、熱可塑性薄肉合成樹脂シートを真空成型またはブロー成型して全体を一体に形成してもよいのである。
【発明の効果】
【００１０】
この発明の鶏卵包装容器を用いると、鶏卵を容器に格納するのが簡便である。閉じた際には容器全体がコンパクトで、かつ容器が立てられるので、運搬や冷蔵庫内での保管に便利である。開けた際には容器が大きく開いて鶏卵の取り出しが容易である。
【００１１】
販売の際には、縦に置くことや、吊り下げた状態で陳列でき、陳列スペースが少なくすみ、場所の選定において便利である。鶏卵が揃って縦に配置されているので見た目に美しく感じられ、陳列した状態での見栄えがよい。一度開封した容器であっても、開閉が容易であり、鶏卵の保管に好適である。
【００１２】
容器の自体の構造は単純でも、仕掛けのおもしろみが感じられる。持ち運びの際にも、鶏卵が相互にぶつかることが無いので鶏卵が破損することがない。
【発明を実施するための最良の形態】
【００１３】
図１は、この発明の鶏卵包装容器の開いた状態を示す平面図であり、図２は、図１の線Ａ−Ａで裁断した断面図である。この発明の鶏卵包装容器は、複数の鶏卵、例えば２つの鶏卵を互いに離間させて立てた状態で格納し、陳列するものであって、２つの浅い窪み31を有する底部３と、この底部３と屈曲自在な連結部41を介して連結され、２つの凹部12を有する第１の半体１と、底部３と屈曲自在の連結部42を介して連結され、三方の周壁221および平坦面22で囲まれた空間を形成する第２の半体２とにより構成され、熱可塑性薄肉合成樹脂シートを真空成型またはブロー成型して全体が一体に形成されたものである。
【００１４】
図３〜図６に示すように、この発明の鶏卵包装容器は、底部３の浅い窪み31に鶏卵を立てて、２つの半体１、２により両側から鶏卵を挟むように格納するものである。
【００１５】
底部３は、中央の稜線32に沿って山形に折り曲げられ、稜線32の上に鶏卵を載せる２つの浅い窪み31が形成され、底部３の両側部に補強用の山形の壁33が形成され、さらに、強度を持たせるための複数の内側に突出したリブ34が形成されている。
【００１６】
第１の半体１は、折曲線Ｘの両側に形成された２つの面11、16を有し、面11は、閉じたときに第２の半体２に対向する面であり、面16は、閉じたときに底部３に対向する面である。第２の半体２に対向する面11は、周囲がフランジ13で囲まれており、鶏卵の縦半分を覆う２つの凹部12が形成されている。２つの凹部12の間には鶏卵の接触を防ぐ仕切壁15が形成されている。
【００１７】
図１および図２に示すように、第１の半体１は、凹部12のうち、底部３に対向する面16にかかる下端部は切り落とした形状であって、第１の半体１を閉じるときに、窪み31に立てられた鶏卵に触れないように構成されている。
【００１８】
第１の半体１の底部３に対向する面16には、底部３の突出したリブ34と噛み合う複数の溝状のリブ17が形成されており、屈曲自在な連結部41を介して底部３と連結されている。折り曲げられた２つの面11、16の両端部には、２つの面11、16を２辺とする三角形の補強用の壁18が形成されている（図５参照）。
【００１９】
第２の半体２は、鶏卵の残りの半分を覆うもので、折曲線Ｙの両側に形成された２つの面21、26を有し、面21は、閉じたときに第１の半体１に対向する面であり、面26は、閉じたときに底部３の一部に対向する面である。第１の半体１に対向する面21は、周囲をフランジ23で囲まれた三方の周壁221および平坦面22を有する２つの鶏卵を入れる空間が形成されている。また、第２の半体２は、底部３に対向する面26の幅を狭くして、閉じるときに、窪み31に立てられた鶏卵に触れないように構成されている。
【００２０】
第１の半体１と同様に、第２の半体２の底部３と対向する面26には、底部３の突出したリブ34と噛み合う複数の溝状のリブ27が形成されており、屈曲自在な連結部42を介して底部３と連結されている。折り曲げられた２つの面21、26の両端部には、２つの面21、26を２辺とする三角形の補強用の壁28が形成されている（図５参照）。
【００２１】
第１の半体１および第２の半体２のフランジ13、23の両端部を広げて手持面14、24とする。一方の手持面14には凹部19が形成され、他方の手持面24には凸部29が形成されており、両半体１、２を閉じて手持面14、24の対をなす凹部19と凸部29とを嵌合させて容易に封緘することができる。また、手持面14、24に吊下用穴10、20をあけておくと、棒に通して展示に利用することができる。
【００２２】
鶏卵を包装する際には、図１および図２に示すように、両半体１、２を開いて底部３の浅い窪み31に２つの鶏卵を立たせ、図３〜図６に示すように、両半体１、２を立ち上げて重ね合わせたのち、両半体１、２の手持面14、24の対をなす凹部19と凸部29とを嵌合させて封緘する。そして、第２の半体２の平坦面22に出所・品質などを表示したラベルを貼り付けて販売される。
【００２３】
鶏卵を取り出す際には、凹部19と凸部29との嵌合を引き剥がして、両半体１、２を開いて容器を開封する。
【００２４】
この発明の鶏卵包装容器は、通常、立てた状態で使用される。底部３が、中央の稜線32に沿って山形に折り曲げられて、鶏卵を載せる窪み31が持ち上げられているので、台の上に立てて載せるときに、鶏卵の下面に伝わる衝撃を和らげて破損を防止することができる。
【００２５】
以上で説明した実施の形態においては、第１の半体１と第２の半体２の形状が相違しているが、図７に示すように、両半体に、鶏卵を入れる２つの凹部12を有する第１の半体を使用して対称形としてもよいのである。
【００２６】
また、以上の実施の形態においては、２個の鶏卵を格納する容器について説明したが、この発明の鶏卵包装容器は、鶏卵を一列に並べて格納するので、２個の鶏卵に限ることなく、任意数個の鶏卵を格納する容器に適用することができる。
【図面の簡単な説明】
【００２７】
【図１】この発明の鶏卵包装容器の開いた状態を示す平面図、
【図２】図１の線Ａ−Ａで裁断した状態を示す断面図、
【図３】この発明の鶏卵包装容器の閉じた状態を示す正面図、
【図４】この発明の鶏卵包装容器の閉じた状態を示す背面図、
【図５】この発明の鶏卵包装容器の閉じた状態を示す側面図、
【図６】図４の線Ｂ−Ｂで裁断した状態を示す断面図、
【図７】この発明の鶏卵包装容器の他の実施形態の閉じた状態を示す側面図、
【図８】従来の鶏卵包装容器の一例を示す斜視図である。
【符号の説明】
【００２８】
１  第１の半体
２  第２の半体
３  底部
10、20  吊り下げ穴
11  第２の半体２に対向する面
12  凹部
13、23  フランジ
14、24  手持面
15  仕切壁
16、26  底部３に対向する面
17、27  溝状のリブ
18、28  補強用の壁
21  第1の半体1に対向する面
22  平坦面
221  周壁
31  鶏卵を立てる窪み
32  稜線
33  山形の壁
34  突出したリブ
41、42  連結部
【図１】
2007039086.tif 000003
【図２】
2007039086.tif 000004
【図３】
2007039086.tif 000005
【図４】
2007039086.tif 000006
【図５】
2007039086.tif 000007
【図６】
2007039086.tif 000008
【図７】
2007039086.tif 000009
【図８】
2007039086.tif 000010